(57)【特許請求の範囲】
【請求項１】
第一母線に接続される第一母線用断路器を収納した第一断路器ユニットと、第二母線に接続される第二母線用断路器を収納した第二断路器ユニットと、タンク内に遮断器を収納した遮断器ユニットを備えた二重母線用のガス絶縁開閉装置であって、
前記第一断路器ユニットと前記第二断路器ユニットを、前記遮断器ユニットの両側に配置し、前記ガス絶縁開閉装置の後側に前記第二断路器ユニットが位置するように構成し、
前記タンクの側周面の上方部位において径方向両側にそれぞれ径方向外側に向けて突出する第一口出し部と第二口出し部を設け、
前記第一口出し部に前記第一断路器ユニットを着脱可能に連結し、
前記第二口出し部に、線路用接地開閉器を収納した接地開閉器ユニットの一端を着脱可能に連結し、
前記接地開閉器ユニットの他端に前記第二断路器ユニットを連結することを特徴とするガス絶縁開閉装置。
【請求項２】
前記第二断路器ユニットは、前記遮断器ユニットの周面の上方側に位置させ、連結を解除した際に上方への取出し移動を可能にしたことを特徴とする請求項１に記載のガス絶縁開閉装置。
【発明の詳細な説明】
【技術分野】
【０００１】
本発明は、ガス絶縁開閉装置（Gas Insulated Switchgear：ＧＩＳ）に関するものである。
【背景技術】
【０００２】
ガス絶縁開閉装置は、電圧クラス等に応じて各種のものがある。図１は、例えば７万Ｖクラスの二重母線の送電用変電所などに適用されるガス絶縁開閉装置の線路回線の単線結線図を示す。同図に示すように、このガス絶縁開閉装置は、第一母線ＢＵＳ１，第二母線ＢＵＳ２にはそれぞれ第一母線用断路器ＤＳ１，第二母線用断路器ＤＳ２が接続され、それらが遮断器ＣＢの一端に接続され、この遮断器ＣＢの他端には変流器ＣＴ，線路用断路器ＤＳ３，線路用接地開閉器ＥＳ３，避雷器ＬＡおよび計器用変圧器ＶＴが接続されて、ケーブルヘッドＣＨに至る。また遮断器ＣＢの両端には、遮断器点検用接地開閉器ＥＳ１，ＥＳ２が接続されている。
【０００３】
この種のガス絶縁開閉装置は、例えば図２に概略構成を示すように、絶縁性ガスを封入したタンク１内に、遮断器ＣＢ，遮断器点検用接地開閉器ＥＳ１，Ｅ２，変流器ＣＴ等を収納し、遮断器ユニット８を構成する。このタンク１の側周面のうち、ガス絶縁開閉装置の前側に相当する部位には、その上下に第一口出し部１ａと第二口出し部１ｂを設ける。この第一口出し部１ａには、第一母線用断路器ＤＳ１を収納する第一断路器ユニット５を接続し、第二口出し部１ｂには、第二母線用断路器ＤＳ２を収納する第二断路器ユニット６を接続する。一方、タンク１の側周面のうち、これらの第一口出し部１ａ，第二口出し部１ｂと反対側の後側に相当する部位には第三口出し部１ｃを設けている。この第三口出し部１ｃには、図示省略するが線路用断路器ＤＳ３，線路用接地開閉器ＥＳ３等を収納するユニットを接続する。なおこの種のガス絶縁開閉装置は、特許文献１等に開示されている。
【先行技術文献】
【特許文献】
【０００４】
【特許文献１】特開平０９−３３１６１０号公報
【発明の概要】
【発明が解決しようとする課題】
【０００５】
上述したように、従来のガス絶縁開閉装置は、第一母線用断路器ＤＳ１を収納する第一断路器ユニット５と、第二母線用断路器ＤＳ２を収納する第二断路器ユニット６が、ともに装置の前面側に位置するレイアウトをとっている。係るレイアウトは、変電所の重要な構成要素である母線に接続する母線用断路器の故障時に復旧作業を容易にすることを考慮したものであり、この種のガス絶縁開閉装置においては、係るレイアウトを前提として各種の改良が行われてきている。
【０００６】
しかしながら、遮断器ＣＢは、母線用断路器の背面に配置される。上述した従来のガス絶縁開閉装置の構成は、例えば遮断器ＣＢが故障した場合の交換作業は、二重母線の両方の停電による変電所停止を避けるため、以下の手順で行う。
【０００７】
（１）第一母線用断路器ＤＳ１と第二母線用断路器ＤＳ２は、ともに切り状態にする。そして、第一母線ＢＵＳ１を停止し、第一断路器ユニット５（第一母線用断路器ＤＳ１）をタンク１（遮断器ユニット８）から取り外す（図２（ａ）参照）。次いで、第一母線ＢＵＳ１を直母線に交換する。このとき、第二母線ＢＵＳ２は運転をしているので、変電所は全停電とはならない。
【０００８】
（２）次に、図２（ｂ）に示すように、直母線にした第一母線ＢＵＳ１で運転を行う。そして、第二母線ＢＵＳ２を停止し、第二断路器ユニット６（第二母線用断路器ＤＳ２）を取り外す。このとき、第一母線ＢＵＳ１は運転をしているので、変電所は全停電とはならない。
【０００９】
（３）これにより、タンク１（遮断器ユニット８）を取り外すことができるので、例えば当該遮断器ユニット８の解体作業を行い、遮断器ＣＢの交換等を実行する。
そして、故障した遮断器ＣＢの交換等を終えたならば、上記と逆の手順で元の状態に復帰させる。
【００１０】
このように、従来のガス絶縁開閉装置は、例えば遮断器ＣＢの故障等に伴い遮断器ユニット８の解体作業等を行う場合、直母線に変換する作業や、母線の切り替え作業など多くの手順が必要となり、作業が複雑・煩雑で長い作業期間を必要とするという課題が生じる。
【００１１】
また、上述したように直母線に切り替える作業を省略すると、以下に示す問題も生じる。すなわち、例えば図２（ｃ）に示すように、運転中の母線用断路器（図の例では、第二母線用断路器ＤＳ２）を残したまま遮断器ユニット８を取り外そうとすると、第二母線用断路器ＤＳ２と遮断器ＣＢを接続する導体９に触れる。すると、遮断器ユニット８を外した瞬間に、遮断器ユニット８に収納される線路用接地開閉器ＥＳも一緒に外れるため、第二母線用断路器ＤＳ２の接地が外れ、上述した導体９は、第二母線ＢＵＳ２からの誘導で浮遊電位となり、感電を招くことになる。よって、上記の手順を採る必要が生じる。また、遮断器ユニット８の後方側には他のユニットが存在しているため、遮断器ユニット８は後方側に移動することができず、前方には第二断路器ユニット６が位置しているため、遮断器ユニット８の取出し方向は装置の上方となり、第二母線用断路器ＤＳを接続した状態では、解体作業等の作業性が悪いという問題もある。
【課題を解決するための手段】
【００１２】
上述した課題を解決するために、本発明は、（１）第一母線に接続される第一母線用断路器を収納した第一断路器ユニットと、第二母線に接続される第二母線用断路器を収納した第二断路器ユニットと、遮断器を収納した遮断器ユニットを備えた二重母線用のガス絶縁開閉装置であって、前記第一断路器ユニットと前記第二断路器ユニットを、遮断器ユニットの両側に配置し、前記ガス絶縁開閉装置の後側に前記第二断路器ユニットが位置するように構成し、前記タンクの側周面の上方部位において径方向両側にそれぞれ径方向外側に向けて突出する第一口出し部と第二口出し部を設け、前記第一口出し部に前記第一断路器ユニットを着脱可能に連結し、前記第二口出し部に、線路用接地開閉器を収納した接地開閉器ユニットの一端を着脱可能に連結し、前記接地開閉器ユニットの他端に前記第二断路器ユニットを連結するようにした。
【００１３】
本発明では、二重母線用のガス絶縁開閉装置であるため、それぞれの母線に接続するために２つの断路器ユニットを有する。そして遮断器ユニットの前側に第一断路器ユニットを配置し、遮断器ユニットの後側に第二断路器ユニットを配置したため、例えば遮断器が故障し遮断器ユニットを取り外す場合、第二断路器ユニット側と分離することで第一断路器ユニットとともにて前側に移動し、容易に取り外すことができる。係る取り外しに際し、第一断路器ユニットに接続される第一母線を停止し、第二母線の運転を行うことで全停電を生じさせることなく、少ない作業工程で効率良く交換等が行える。
さらに遮断器ユニットの取り外しの際、接地開閉器ユニットとの連結を解除するようにすれば、当該接地開閉器ユニットに収納された線路用接地開閉器を入り状態にすることで、第二断路器ユニット内の第二母線用断路器は接地された状態を保持するので良い。
【００１４】
（２）前記第二断路器ユニットは、前記遮断器ユニットの周面の上方側に位置させ、連結を解除した際に上方への取出し移動を可能にするとよい。このようにすると、遮断器ユニットの後側に配置した第二断路器ユニットに収納された第二母線用断路器に故障等が生じた場合、第二断路器ユニットを上方に移動させることで簡単に取り外すことができるので良い。
【発明の効果】
【００１６】
本発明では、ガス絶縁開閉装置が設置された変電所等に全停電を生じることなく、簡単に遮断器等の交換等を行うことができる。
【図面の簡単な説明】
【００１７】
【図１】本発明が適用される二重母線構成のガス絶縁開閉装置の線路回線の単線結線図である。
【図２】従来のガス絶縁開閉装置の作用等を説明する図である
【図３】本発明に係るガス絶縁開閉装置の好適な一実施形態の外観を示す側面図である。
【図４】本実施形態の作用を説明する図である。
【発明を実施するための形態】
【００１８】
以下、本発明の一実施形態について図面に基づき、詳細に説明する。なお、本発明は、これに限定されて解釈されるものではなく、本発明の範囲を逸脱しない限りにおいて、当業者の知識に基づいて、種々の変更、修正、改良を加え得るものである。
【００１９】
本発明に係るガス絶縁開閉装置は、二重母線の送電用変電所などに適用されるものであり、本実施形態におけるガス絶縁開閉装置の線路回線の単線結線図は、図１に示すものと同様となる。図３は、本発明に係るガス絶縁開閉装置の一実施形態を示す側面図である。同図に示すように、第一母線ＢＵＳ１に接続される第一母線用断路器ＤＳ１を収納した第一断路器ユニット１１と、第二母線ＢＵＳ２に接続される第二母線用断路器ＤＳ２を収納した第二断路器ユニット１２を、遮断器ＣＢを収納した遮断器ユニット１３の両側に配置する。つまり、遮断器ユニット１３の周面の反対側に配置する。ここでは、第一断路器ユニット１１がガス絶縁開閉装置の前側に位置し、第二断路器ユニット１２がガス絶縁開閉装置の後側に位置するようにした。
【００２０】
すなわち、遮断器ユニット１３は、絶縁性ガスを封入したタンク２０内に遮断器ＣＢを収納して構成され、遮断器ＣＢの操作機構２１の上に設置される。そして、タンク２０の側周面には、その上方部位において径方向両側にそれぞれ径方向外側に向けて突出する第一口出し部２０ａと第二口出し部２０ｂを設ける。さらに、タンク２０の側周面のうち、ガス絶縁開閉装置の後側に位置する第二口出し部２０ｂの下方に、径方向外側に向けて突出する第三口出し部２０ｃを設ける。また、本実施形態では、タンク２０内には線路用接地開閉器ＥＳ１を実装せず、当該線路用接地開閉器ＥＳ１を収納した接地開閉器ユニット１４を別途設けた。
【００２１】
そして、第一口出し部２０ａに、第一断路器ユニット１１を着脱可能に連結する。また、第二口出し部２０ｂには、接地開閉器ユニット１４の一端を着脱可能に接続する。この接地開閉器ユニット１４の他端に第二断路器ユニット１２を連結する。つまり、遮断器ユニット１３と第二断路器ユニット１２の間に接地開閉器ユニット１４が介在する構成を採る。
【００２２】
また、第三口出し部２０ｃには、変流器ＣＴを収納した変流器ユニット１５が着脱可能に連結される。これにより遮断器ユニット１３の後側に配置する第二断路器ユニット１２は、その下方に変流器ユニット１５が配置される。一方、上方側には他のユニットがなく開放空間となる。さらに、変流器ユニット１５の後段には、線路用接地開閉器ＥＳ２が収納された接地開閉器ユニット１６、避雷器ＬＡ等が収納される避雷器ユニット１７等が順次連結される。
【００２３】
次に、本実施形態の作用を説明する。例えば遮断器ＣＢが故障した場合を想定すると、交換作業は、以下の手順で行う。まず、第二母線用断路器ＤＳ２は、切り状態にする。そして、第一母線ＢＵＳ１を停止し、第二母線ＢＵＳ２は運転を行うようにする。この状態で、タンク２０の第二口出し部２０ｂと接地開閉器ユニット１４の連結並びに第三口出し部２０ｃと変流器ユニット１５との連結を解除し、第一断路器ユニット１１と一緒に遮断器ユニット１３を取り外す。このとき、第一断路器ユニット１１の前方側は開放されており、遮断器ユニット１３と第一断路器ユニット１１は一体的となっているので、遮断器ユニット１３をガス絶縁開閉装置の前方側に移動することで簡単に取り外すことができる。故障した遮断器ＣＢの交換等を終えたならば、上記と逆の手順で遮断器ユニット１３を接地開閉器ユニット１４や変流器ユニット１５と連結する。
【００２４】
上述したように、遮断器ＣＢの交換等を行う場合、１回の片母線の停止（上記の例では、第一母線ＢＵＳ１の停止）作業で良く、従来のように停止母線の切り替え作業や、仮接続の直母線が不要となり、作業工程が少なく作業効率が向上する。そして、係る交換作業の実行中、第二母線ＢＵＳ２の運転により、変電所は全停電とはならない。
【００２５】
さらに、接地開閉器ユニット１４が第二断路器ユニット１２に連結されているため、線路用接地開閉器ＥＳ１を入の状態にすることで第二母線用断路器ＤＳ２は線路用接地開閉器ＥＳ１によって接地される。よって、遮断器ユニット１３を取り外したとしても、第二母線用断路器ＤＳ２に浮遊電位が発生することがなく、作業員が感電するおそれもない。
【００２６】
一方、第一母線用断路器ＤＳ１が故障した場合、従来と同様に第一母線ＢＵＳ１を停止し、当該第一母線用断路器ＤＳ１と第一口出し部２０ａとの連結を解除し、第一母線用断路器ＤＳ１を手前側に移動することで遮断器ユニット１３から迅速かつ簡単に取り外し、交換等を実行する。
【００２７】
また、遮断器ユニット１３の後側に位置する第二母線用断路器ＤＳ２が故障した場合、第二断路器ユニット１２の上方が開放しているため、第一母線ＢＵＳ１を停止した状態で、例えば第二断路器ユニット１２と接地開閉器ユニット１４の連結を解除し、第二断路器ユニット１２を上方に移動することで簡単かつ迅速に取り外し、交換等を実行することができる。また、第二断路器ユニット１２は、遮断器ユニット１３に比べると小さいため、軽量で持ち上げやすいとともに、取り外すための上方への移動距離も短くて済むので良い。よって、本実施形態では、変電所の重要な構成要素である母線に接続する母線用断路器の故障時に復旧作業を容易に行うことも確保できる。
【符号の説明】
【００２８】
１１  第一断路器ユニット
１２  第二断路器ユニット
１３  遮断器ユニット
１４  接地開閉器ユニット
１５  変流器ユニット
１６  接地開閉器ユニット
【図１】
0006578120.tif 000002
【図２】
0006578120.tif 000003
【図３】
0006578120.tif 000004
【図４】
0006578120.tif 000005